(57)【要約】      （修正有）【課題】ユーザが迅速且つ労力をかけずにフレームにＬＥＤモジュールを取り付け且つフレームからＬＥＤモジュールを取り外すことが可能な、ＬＥＤモジュールの着脱機構を提供する。【解決手段】ＬＥＤモジュール１２の着脱機構１０、１０’は、歯車１４と、第１のラック１６と、第２のラック１８とを有する。歯車は、ＬＥＤモジュールの後面に回転可能に取り付けられる。第１のラック１６は、歯車の第１の複数の歯と噛み合う歯を有する近位端１６１と、モジュールの第１の周辺部に配置されフレーム３０と係合する遠位端１６３とを有する。第２のラック１８は、歯車１４の第２の複数の歯と噛み合う歯を有する近位端１８１と、モジュールの第２の周辺部に配置されフレームと係合する遠位端１８３とを有する。歯車が時計回りの方向に回転するとラックの遠位端同士が遠ざかってフレームと係合し、歯車が反時計回りの方向に回転するとラックの遠位端同士が近づいてフレームとの係合が解除される。【選択図】図３
0003176531.tif 000002
【実用新案登録請求の範囲】
【請求項１】
ＬＥＤモジュール着脱機構であって、
（ａ）前記モジュールの後面に回転可能に取り付けられた歯車と、
（ｂ）前記歯車の第１の複数の歯と噛み合う歯を有する近位端と、前記モジュールの第１の周辺部に配置され前記モジュールを支持するフレームと係合する遠位端とを有する第１のラックと、
（ｃ）前記歯車の第２の複数の歯と噛み合う歯を有する近位端と、前記モジュールの第２の周辺部に配置され、前記フレームと係合する遠位端とを有する第２のラックと
を具備し、
（ｄ）前記歯車が第１の方向に回転すると前記第１及び第２のラックの前記遠位端同士が遠ざかって前記フレームと係合し、前記歯車が第２の方向に回転すると前記第１及び第２のラックの前記遠位端同士が近づいて前記フレームとの係合が解除されること
を特徴とするＬＥＤモジュール着脱機構。
【請求項２】
請求項１に記載の着脱機構であって、
前記歯車の中心軸に形成される鍵穴をさらに具備し、前記鍵穴は、該鍵穴を回すことで前記歯車を回転させるのに用いられるレンチを収容することを特徴とする着脱機構。
【請求項３】
請求項２に記載の着脱機構であって、
前記中心軸の第１の端部は前記モジュールの前記後面に形成された第１の開口に回転可能に収容され、前記中心軸の第２の端部は前記モジュールの前記後面に固定されたブラケットに形成された第２の開口に回転可能に収容されることを特徴とする着脱機構。
【請求項４】
請求項１に記載の着脱機構であって、
前記ラックのそれぞれの遠位端は横方向に延在する段部を有し、前記段部及び前記モジュールの前記後面は、前記第１及び第２のラックの前記遠位端が前記フレームと係合するとき、前記フレームの端部を収容し圧迫する横溝を形成することを特徴とする着脱機構。
【請求項５】
請求項１に記載の着脱機構であって、
前記モジュールの前記後面に設けられ、前記ラックそれぞれを覆い、前記ラックの直線運動をガイドするブラケットをさらに具備することを特徴とする着脱機構。
【請求項６】
請求項５に記載の着脱機構であって、
前記ブラケットは、前記モジュールのリアパネルと一体的に形成されることを特徴とする着脱機構。
【請求項７】
請求項６に記載の着脱機構であって、
前記モジュールの前記後面に設けられ、前記ラックそれぞれを覆い、前記ラックの前記運動をさらにガイドする補助ブラケットをさらに具備することを特徴とする着脱機構。
【請求項８】
請求項７に記載の着脱機構であって、
前記補助ブラケットは、前記モジュールの前記リアパネルに固定されることを特徴とする着脱機構。
【請求項９】
請求項２に記載の着脱機構であって、
前記鍵穴は六角形断面を有し、前記レンチは六角レンチであることを特徴とする着脱機構。
【請求項１０】
請求項１に記載の着脱機構を少なくとも１つ具備するＬＥＤモジュール。
【考案の詳細な説明】
【技術分野】
【０００１】
本考案は、発光ダイオード（ＬＥＤ）モジュールの簡易着脱機構に関する。
【背景技術】
【０００２】
ＬＥＤモジュールは、表面にＬＥＤアレイが設けられている。１以上のＬＥＤモジュールがＬＥＤライトボックス又はフレームに取り付けられることでＬＥＤディスプレイが形成され、ＬＥＤディスプレイはショッピングセンターや公共の場などにある広告媒体として典型的に使用され得る。ＬＥＤモジュールをＬＥＤライトボックス又はフレームに取り付けるには、様々な手段がある。図１は、従来技術に係るＬＥＤモジュールの着脱機構を示す。この着脱機構は、１６個の螺子孔を有するリアパネルの形態をとる。ＬＥＤモジュールのリアパネルの１６個の螺子孔及びフレームに形成された１６個の位置決め用開口それぞれに１６個の螺子を通すことにより、ＬＥＤモジュールをフレームに取り付けることができる。仮に１つの螺子を螺子孔に通すのに約５秒かかるとすると、ＬＥＤモジュールをフレームに取り付けるのにおよそ９０秒かかることになる。これは、かなりの時間と労力を要する工程である。
【考案の概要】
【考案が解決しようとする課題】
【０００３】
ユーザが迅速且つ労力をかけずにフレームにＬＥＤモジュールを取り付け且つフレームからＬＥＤモジュールを取り外すことが可能な、優れたＬＥＤモジュールの着脱機構を提供することが望まれている。
【課題を解決するための手段】
【０００４】
本考案の一側面によれば、歯車と、第１のラックと、第２のラックとを有するＬＥＤモジュールの着脱機構が提供される。前記歯車は、前記ＬＥＤモジュールの後面又はパネルに回転可能に取り付けられる。前記第１のラックは、前記歯車の第１の複数の歯と噛み合う歯を有する近位端と、前記モジュールの第１の周辺部に配置され、前記モジュールを支持するフレームと係合する遠位端とを有する。前記第２のラックは、前記歯車の第２の複数の歯と噛み合う歯を有する近位端と、前記モジュールの第２の周辺部に配置され、前記フレームと係合する遠位端とを有する。前記歯車が第１の方向に回転すると前記第１及び第２のラックの前記遠位端同士が遠ざかって前記フレームと係合し、前記歯車が第２の方向に回転すると前記第１及び第２のラックの前記遠位端同士が近づいて前記フレームとの係合が解除される。
【０００５】
本考案の一実施形態によれば、着脱機構は、前記歯車の中心軸に形成される鍵穴を有する。前記鍵穴は、当該鍵穴を回すことで前記歯車を回転させるのに用いられる鍵を収容する。鍵穴は、六角形断面を有してもよく、その場合鍵は六角鍵となる。
【０００６】
本考案の一実施形態によれば、前記歯車の前記中心軸の第１の端部は前記モジュールの前記後面に形成された第１の開口に回転可能に収容され、前記中心軸の第２の端部は前記モジュールの前記後面に固定されたブラケットに形成された第２の開口に回転可能に収容される。
【０００７】
本考案の一実施形態によれば、前記第１及び第２のラックのそれぞれの遠位端は横方向に延在する段部を有し、前記段部及び前記モジュールの前記後面は、前記第１及び第２のラックの前記遠位端が前記フレームと係合するとき、前記フレームの端部を収容し圧迫する横溝を形成する。
【０００８】
着脱機構は、前記モジュールの前記後面に設けられ、前記第１及び第２のラックそれぞれを覆い、前記第１及び第２のラックの直線運動をガイドするブラケットをさらに有する。一実施形態では、前記ブラケットは、前記モジュールのリアパネルと一体的に形成される。
【０００９】
着脱機構は、前記モジュールの前記後面に設けられ、前記第１及び第２のラックそれぞれを覆い、前記第１及び第２のラックの前記運動をさらにガイドする補助ブラケットをさらに有してもよい。一実施形態では、前記補助ブラケットは、前記モジュールの前記リアパネルに固定される。
【００１０】
本考案の別の一側面によれば、少なくとも１つの本考案の着脱機構を具備するＬＥＤモジュールが提供される。一実施形態では、２つの着脱機構がＬＥＤモジュールの後面又はパネルに設けられる。一方の着脱機構はＬＥＤモジュールの後面の上部に設けられ、他方はＬＥＤモジュールの後面の下部に設けられる。
【図面の簡単な説明】
【００１１】
【図１】従来技術に係るＬＥＤモジュールの着脱機構である。
【図２】本考案の実施形態に係るＬＥＤモジュールの着脱機構を示す斜視図である。
【図３】図２のＬＥＤモジュールの着脱機構の背面図である。
【図４】図２のＬＥＤモジュールの着脱機構の側面図である。
【図５】係合位置にあるＬＥＤモジュールの着脱機構の背面図である。
【図６】係合位置にあるＬＥＤモジュールの着脱機構の側面図である。
【図７】係合解除位置にあるＬＥＤモジュールの着脱機構の背面図である。
【図８】係合解除位置にあるＬＥＤモジュールの着脱機構の側面図である。
【図９】ＬＥＤモジュールの正面図である。
【考案を実施するための形態】
【００１２】
以下、添付図面を参照し実施例を用いて、ＬＥＤモジュールの着脱機構の具体的な実施形態を説明する。
【００１３】
以下、本考案の好適な実施形態について詳細に説明するとともに、実施例も以下に説明する。本考案の典型的な実施形態を詳細に説明するが、本考案を理解するに当たり特別重要でない特徴の中には明瞭性を期すため敢えて明示していないものもあることは、当業者には明らかである。
【００１４】
図２〜４は、本考案の一実施形態に係る発光ダイオード（ＬＥＤ）モジュール１２の後面又はパネルに設けられた２つの着脱機構１０、１０’を示す。２つの着脱機構１０、１０’は、実質的に同一の構造を有する。一方の着脱機構１０はＬＥＤモジュール１２の上部に設けられ、他方の着脱機構１０’はＬＥＤモジュール１２の下部に設けられる。 
【００１５】
ＬＥＤモジュール１２は２つの着脱機構１０、１０’を有するものとして示しているが、ＬＥＤモジュール１２の構造、形状、サイズ及び重さなどを総合的に判断して、ＬＥＤモジュール１２は１つの着脱機構又は２つ以上の着脱機構を有するものとしてもよい。例えば、小型で軽量のＬＥＤモジュールであれば、ＬＥＤモジュールをフレームに取り付け且つ支持するための着脱機構は１つで十分である。
【００１６】
２つの着脱機構１０、１０’は実質的に同一の構造を有するので、上側の着脱機構１０のみ参照し、詳細に説明する。図示の実施形態によれば、着脱機構１０は、歯車１４、第１のラック１６及び第２のラック１８を有する。歯車１４は、ＬＥＤモジュール１２の左右中央に設けられる。歯車１４は、ＬＥＤモジュール１２の後面又はパネルに回転可能に取り付けられる。第１のラック１６は、近位端１６１及び遠位端１６３を有する。第１のラック１６の近位端１６１には、歯車１４の第１の複数の歯と噛み合う歯１６２が設けられる。第１のラック１６の遠位端１６３は、ＬＥＤモジュール１２の第１の周辺部に配置され、ＬＥＤモジュール１２を支持するためのボックス又はフレーム３０に係合する。
【００１７】
第１のラック１６と同様に、第２のラック１８は、近位端１８１及び遠位端１８３を有する。第２のラック１８の近位端１８１には、歯車１４の第２の複数の歯と噛み合う歯１８２が設けられる。第２のラック１８の遠位端１８３は、モジュール１２の第２の周辺部に配置され、フレーム３０に係合する。
【００１８】
なお、歯車１４の回転は、歯車１４の回転運動を、歯車１４と係合する第１及び第２のラック１６、１８の直線運動に転換する。したがって、歯車１４が第１の方向（好ましくは、時計回り方向）に回転すると、第１及び第２のラック１６、１８の遠位端１６３、１８３が遠ざかってフレーム３０と係合し、歯車１４が第２の方向（好ましくは、反時計回り方向）に回転すると、第１及び第２のラック１６、１８の遠位端１６３、１８３が近づいてフレーム３０との係合が解除される。
【００１９】
本考案の一実施形態によれば、図４に示すように、着脱機構１０は、歯車１４の中心軸２８に形成され、鍵穴２６を回して歯車１４を回転させるのに用いられる鍵を挿入するための鍵穴２６を有してもよい。鍵穴２６は六角形断面、正方形断面又はその他の適当な形状の断面を有してもよい。仮に鍵穴２６が六角形断面を有するとすると、歯車１４を回転させるために鍵穴２６に挿入する六角形の鍵が必要となる。
【００２０】
鍵穴２６は歯車の中心軸２８に形成され、鍵穴２６を回して歯車１４を回転させるのにレンチが用いられると記載し説明したが、歯車１４は異なる構造であってもよく、他の考えられ得る手段によって回転するようにしてもよいことを当業者には理解されたい。例えば、歯車１４の中心軸２８は六角形断面を有してもよく、その場合、六角形の軸を回すのに六角レンチを使用して歯車１４を回転させる。
【００２１】
中心軸２８は、第１の端部２８１及び第２の端部２８１を有する。歯車１４の中心軸２８の第１の端部２８１は、モジュール１２の後面又はパネルに形成された第１の開口３２に回転可能に収容され、中心軸２８の第２の端部２８２は、モジュール１２の後面又はパネルに固定されたブラケット３６に形成された第２の開口３４に回転可能に収容される。ブラケット３６は、歯車１４並びに第１及び第２のラック１６、１８の近位端１６１、１８１を実質的に覆うことが可能な寸法を有する。ブラケット３６は、歯車１４の歯並びに第１及び第２のラック１６、１８の歯の係合位置を保持し、歯車１４の回転に伴う第１及び第２のラック１６、１８の直線運動をガイドする役割をもつ。ブラケット３６は、汎用の螺子によりＬＥＤモジュール１２の後面又はパネルに固定することができる。 
【００２２】
図示の実施形態によれば、図４に示すように、第１及び第２のラック１６、１８の遠位端１６３、１８３には、それぞれ横方向に延在する段部４０が設けられる。段部４０及びモジュール１２の後面又はパネルは、第１及び第２のラック１６、１８の遠位端１６３、１８３が互いに遠ざかってフレーム３０と係合するとき、フレーム３０の端部４４を収容し圧迫する横溝４２を形成する。
【００２３】
各着脱機構１０、１０’は、モジュール１２の後面又はパネルに設けられ、各第１及び第２のラック１６、１８を覆い、歯車１４の回転に伴う第１及び第２のラック１６、１８の直線運動をガイドするためのブラケット５０をさらに有する。図示の実施形態によれば、図２に示すように、ブラケット５０は第１及び第２のラック１６、１８の遠位端１６３、１８３の近傍に位置し、ブラケット５０はモジュール１２のリアパネル６０と一体的に形成される。
【００２４】
各着脱機構１０、１０’は、モジュール１２の後面又はパネルに設けられ、各第１及び第２のラック１６、１８を覆い、第１及び第２のラック１６、１８の直線運動をさらにガイドする補助ブラケット５２をさらに有してもよい。一実施形態では、補助ブラケット５２は第１及び第２のラック１６、１８の遠位端１６３、１８３の中央部に位置し、補助ブラケット５２は汎用の螺子によりモジュール１２のリアパネル６０に固定される。
【００２５】
図５〜８は、フレーム３０に対するＬＥＤモジュール１２の着脱を示す。フレーム３０にＬＥＤモジュール１２を取り付けるため、ユーザはまず、図７及び８に示す位置にあるフレーム３０に対してＬＥＤモジュール１２を保持する。ユーザは次に、上側着脱機構１０の鍵穴２６に六角形の鍵を挿入し、鍵穴２６を回して、図５の矢印で示すように時計回りに歯車１４を回転させる。歯車１４が時計回りに回転すると、図６に良く示すように第１及び第２のラック１６、１８の遠位端１６３、１８３がフレーム３０の端部４４と係合するまで、第１及び第２のラック１６、１８が矢印で示すように反対方向に外側に向かって直線的に移動する。同様に、ユーザは下側着脱機構１０’の鍵穴２６に六角形の鍵を挿入し、鍵穴２６を回して、図５の矢印で示すように時計回りに歯車１４を回転させる。下側着脱機構１０’の歯車１４が時計回りに回転すると、図６に良く示すように第１及び第２のラック１６、１８の遠位端１６３、１８３がフレーム３０の端部４４と係合するまで、第１及び第２のラック１６、１８が矢印で示すように反対方向に外側に向かって直線的に移動する。この係合位置において、ＬＥＤモジュール１２がフレーム３０に確実に取り付けられる。 
【００２６】
フレーム３０からＬＥＤモジュール１２を取り外すには、ユーザは上側着脱機構１０の鍵穴２６に六角形の鍵を挿入し、鍵穴２６を回して、図７の矢印で示すように歯車１４を反時計回りに回転させる。歯車１４が反時計回りに回転すると、図８に示すように第１及び第２のラック１６、１８の遠位端１６３、１８３とフレーム３０の端部４４との係合が外れるまで、第１及び第２のラック１６、１８が矢印で示すように内側に向かって直線的に移動する。同様に、ユーザは下側着脱機構１０’の鍵穴２６に六角形の鍵を挿入し、鍵穴２６を回して、図７の矢印で示すように歯車１４を反時計回りに回転させる。下側着脱機構１０’の歯車１４が反時計回りに回転すると、図８に示すように第１及び第２のラック１６、１８の遠位端１６３、１８３とフレーム３０の端部４４との係合が外れるまで、第１及び第２のラック１６、１８が矢印で示すように内側に向かって直線的に移動する。この係合解除位置において、ＬＥＤモジュール１２をフレーム３０から取り外すことができる。
【００２７】
本考案のＬＥＤモジュール１２には鍵穴２６が２つしか設けられていないため、図１に示す従来技術の１６個の螺子孔と比べて、フレーム３０に対するＬＥＤモジュール１２の着脱を迅速且つ労力をかけずに完了することが可能となる。
【００２８】
図９は、ＬＥＤアレイを有するＬＥＤモジュール１２の正面図を示す。複数のＬＥＤモジュール１２がＬＥＤライトボックス又はフレームに取り付けられてＬＥＤディスプレイを形成する。ＬＥＤモジュール１２は正方形形状を有するタイル状のモジュールとして示したが、ＬＥＤモジュールは他のいかなる形状とすることもできる。本考案の１以上の着脱機構１０、１０’は、ＬＥＤディスプレイを製造するため、着脱機構の後面又はパネルに設けることができる。
【００２９】
複数の好適な実施形態を特に参照して本考案を記載し説明したが、本考案の範囲から逸脱しない限度において、種々の他の変更又は改良がなされ得る。
【図１】
0003176531.tif 000003
【図２】
0003176531.tif 000004
【図３】
0003176531.tif 000005
【図４】
0003176531.tif 000006
【図５】
0003176531.tif 000007
【図６】
0003176531.tif 000008
【図７】
0003176531.tif 000009
【図８】
0003176531.tif 000010
【図９】
0003176531.tif 000011